【手続補正書】
【提出日】平成30年12月13日(2018.12.13)
【手続補正１】
【補正対象書類名】特許請求の範囲
【補正対象項目名】全文
【補正方法】変更
【補正の内容】
【特許請求の範囲】
【請求項１】
ユーザ機器(UE)におけるワイヤレス通信の方法であって、
第1の基地局への第1のエアインターフェース上で第1のサービスのための第1の無線構成を受信するステップと、
第2の基地局への第2のエアインターフェース上で第2のサービスのための第2の無線構成を受信するステップであって、前記第1の無線構成および前記第2の無線構成が、1つまたは複数のデータ無線ベアラおよび少なくとも1つの測定構成を含み、前記第1の無線構成および前記第2の無線構成が、異なるエアインターフェース技術のためのものである、ステップと、
前記第1の無線構成に基づいて、前記第1のエアインターフェースを介して前記第1の基地局に第1の測定報告を送信するステップであって、前記第1の測定報告は、前記第1のエアインターフェースおよび前記第2のエアインターフェースに関する情報を備える、ステップと、
前記送信された第1の測定報告に少なくとも部分的に基づいて、前記第2の基地局への、コアネットワークへの第1の接続のエアインターフェース間ハンドオーバを実施するステップであって、前記第1の接続がサービスのセットに専用であり、前記エアインターフェース間ハンドオーバが、前記第1のエアインターフェースから前記第2のエアインターフェースへのベアラの第1のサブセットのエアインターフェース間ハンドオーバと、前記第1のエアインターフェースによるベアラの第2のサブセットの保持とを含み、前記サービスのセットの第1のサブセットが前記ベアラの第1のサブセットに対応し、前記サービスのセットの第2のサブセットが前記ベアラの第2のサブセットに対応する、ステップと、
を含む、方法。
【請求項２】
前記第1の無線構成が、前記コアネットワークへの前記第1の接続に関連付けられ、前記第2の無線構成が、前記コアネットワークへの第2の接続に関連付けられる、請求項1に記載の方法。
【請求項３】
前記第2の基地局および前記コアネットワークを介した通信の実行と並行して、前記第2の基地局への前記第1の接続のハンドオーバを実行するステップ
をさらに含む、請求項2に記載の方法。
【請求項４】
コアネットワークへの第1のサービス要求メッセージを介して、前記第1の無線構成の確立を開始するステップと、
前記第1の無線構成を介して前記コアネットワークとデータを交換しながら、前記コアネットワークへの第2のサービス要求メッセージを介して、前記第2の無線構成の確立を開始するステップと
をさらに含む、請求項1に記載の方法。
【請求項５】
前記第1のサービス要求メッセージが、第1のサービスタイプ識別子を備え、前記第2のサービス要求メッセージが、第2のサービスタイプ識別子を備える、請求項4に記載の方法。
【請求項６】
前記第2の無線構成に基づいて、前記第2のエアインターフェースを介して前記第2の基地局に第2の測定報告を送信するステップであって、前記第2の測定報告は、前記第1のエアインターフェースに関する情報を含む、ステップ
をさらに含む、請求項1に記載の方法。
【請求項７】
前記第2の無線構成が、前記第2のエアインターフェースのための測定アルゴリズムおよびトリガ条件についての情報を備える、請求項1に記載の方法。
【請求項８】
前記第1の無線構成が、前記第1のエアインターフェースのための第1の測定アルゴリズムおよび第1のトリガ条件に関連付けられた情報を備え、前記第2の無線構成が、前記第2のエアインターフェースのための第2の測定アルゴリズムおよび第2のトリガ条件に関連付けられた情報を備える、請求項7に記載の方法。
【請求項９】
前記第1の無線構成内に示された前記第1の測定アルゴリズムおよび前記第1のトリガ条件と、前記第2の無線構成内に示された前記第2の測定アルゴリズムおよび前記第2のトリガ条件の両方に準拠するステップ
をさらに含む、請求項8に記載の方法。
【請求項１０】
前記第1の無線構成が、前記第1のエアインターフェースと前記第2のエアインターフェースの両方のための測定アルゴリズムおよびトリガ条件に関連付けられた情報を備える、請求項1に記載の方法。
【請求項１１】
前記第1のエアインターフェースまたは前記第2のエアインターフェースを介して、再構成メッセージを受信するステップと、
前記再構成メッセージに少なくとも部分的に基づいて、前記エアインターフェース間ハンドオーバを実施するステップと
をさらに含む、請求項1に記載の方法。
【請求項１２】
前記第1の基地局または前記第2の基地局のうちの少なくとも1つと無線ベアラを確立するステップ
をさらに含む、請求項1に記載の方法。
【請求項１３】
前記第2のエアインターフェースを介して前記第2の基地局とデータを同時に交換しながら、前記第1のエアインターフェースを介して前記第1の基地局と前記無線ベアラを確立するステップ
をさらに含む、請求項12に記載の方法。
【請求項１４】
第1の要求をモビリティ管理エンティティ(MME)に送信するステップであって、前記第1の要求が前記第1のエアインターフェースのタイプを示す、ステップと、第2の要求を前記MMEに送信するステップであって、前記第2の要求が前記第2のエアインターフェースのタイプを示す、ステップと
をさらに含む、請求項1に記載の方法。
【請求項１５】
前記第1の要求および前記第2の要求が、非アクセス層(NAS)サービス要求である、請求項14に記載の方法。
【請求項１６】
前記第1の要求および前記第2の要求が、各々、前記MMEを識別するグローバル一意モビリティ管理エンティティ識別子(GUMMEI)を備える、請求項14に記載の方法。
【請求項１７】
第1のセキュリティキーを使用して、前記第1のエアインターフェースを介した第1のセッションをセキュアにするステップであって、前記第1のセキュリティキーが、セッションキー(Kasme)に基づいて導出される、ステップと、
第2のセキュリティキーを使用して、前記第2のエアインターフェースを介した第2のセッションをセキュアにするステップであって、前記第2のセキュリティキーが、Kasmeに基づいて導出され、前記第1のセキュリティキーおよび前記第2のセキュリティキーが異なる、ステップと
をさらに含む、請求項1に記載の方法。
【請求項１８】
前記第1のエアインターフェースまたは前記第2のエアインターフェースのうちの少なくとも1つにおいて、無線リンク障害(RLF)を検出するステップと、
前記検出されたRLFに少なくとも部分的に基づいて、エアインターフェース間ハンドオーバを実施するステップであって、前記エアインターフェース間ハンドオーバの実施が、前記第1の基地局または前記第2の基地局のうちの少なくとも1つに関連付けられたターゲット基地局情報を提供することを含む、ステップと
をさらに含む、請求項1に記載の方法。
【請求項１９】
前記第1のエアインターフェースを介した第1のセッション、および前記第2のエアインターフェースを介した第2のセッションが、単一のモビリティ管理エンティティ(MME)を使用して確立される、請求項1に記載の方法。
【請求項２０】
前記第1のエアインターフェースを介した第1のセッション、および前記第2のエアインターフェースを介した第2のセッションが、単一のサービングゲートウェイ(S-GW)を使用して確立される、請求項1に記載の方法。
【請求項２１】
前記第1のエアインターフェースが、ロングタームエボリューション(LTE)エアインターフェースであり、前記第2のエアインターフェースが、ミリメートル波エアインターフェースである、請求項1に記載の方法。
【請求項２２】
第1のタイプのサービスが、前記第1のエアインターフェースを介して実行され、第2のタイプのサービスが、前記第2のエアインターフェースを介して同時に実行される、請求項1に記載の方法。
【請求項２３】
ユーザ機器(UE)におけるワイヤレス通信のための装置であって、
第1の基地局への第1のエアインターフェース上で第1のサービスのための第1の無線構成を受信するための手段と、
第2の基地局への第2のエアインターフェース上で第2のサービスのための第2の無線構成を受信するための手段であって、前記第1の無線構成および前記第2の無線構成が、1つまたは複数のデータ無線ベアラおよび少なくとも1つの測定構成を含み、前記第1の無線構成および前記第2の無線構成が、異なるエアインターフェース技術のためのものである、手段と、
前記第1の無線構成に基づいて、前記第1のエアインターフェースを介して前記第1の基地局に第1の測定報告を送信するための手段であって、前記第1の測定報告は、前記第1のエアインターフェースおよび前記第2のエアインターフェースに関する情報を備える、手段と、
前記送信された第1の測定報告に少なくとも部分的に基づいて、前記第2の基地局への、コアネットワークへの第1の接続のエアインターフェース間ハンドオーバを実施するための手段であって、前記第1の接続がサービスのセットに専用であり、前記エアインターフェース間ハンドオーバが、前記第1のエアインターフェースから前記第2のエアインターフェースへのベアラの第1のサブセットのエアインターフェース間ハンドオーバと、前記第1のエアインターフェースによるベアラの第2のサブセットの保持とを含み、前記サービスのセットの第1のサブセットが前記ベアラの第1のサブセットに対応し、前記サービスのセットの第2のサブセットが前記ベアラの第2のサブセットに対応する、手段と、
を備える、装置。
【請求項２４】
前記第1の無線構成が、コアネットワークへの第1の接続に関連付けられ、前記第2の無線構成が、前記コアネットワークへの第2の接続に関連付けられる、請求項23に記載の装置。
【請求項２５】
前記第2の基地局および前記コアネットワークを介した通信の実行と並行して、前記第2の基地局への前記第1の接続のハンドオーバを実行するための手段
をさらに備える、請求項24に記載の装置。
【請求項２６】
コアネットワークへの第1のサービス要求メッセージを介して、前記第1の無線構成の確立を開始するための手段と、
前記第1の無線構成を介して前記コアネットワークとデータを交換しながら、前記コアネットワークへの第2のサービス要求メッセージを介して、前記第2の無線構成の確立を開始するための手段と
をさらに備える、請求項23に記載の装置。
【請求項２７】
前記第1のサービス要求メッセージが、第1のサービスタイプ識別子を備え、前記第2のサービス要求メッセージが、第2のサービスタイプ識別子を備える、請求項26に記載の装置。
【請求項２８】
ユーザ機器(UE)におけるワイヤレス通信のための装置であって、
プロセッサと、
前記プロセッサと電子通信しているメモリと、
前記メモリ内に記憶された命令とを備え、前記命令が、前記プロセッサによって、
第1の基地局への第1のエアインターフェース上で第1のサービスのための第1の無線構成を受信すること、
第2の基地局への第2のエアインターフェース上で第2のサービスのための第2の無線構成を受信することであって、前記第1の無線構成および前記第2の無線構成が、1つまたは複数のデータ無線ベアラおよび少なくとも1つの測定構成を含み、前記第1の無線構成および前記第2の無線構成が、異なるエアインターフェース技術のためのものである、受信すること、
前記第1の無線構成に基づいて、前記第1のエアインターフェースを介して前記第1の基地局に第1の測定報告を送信することであって、前記第1の測定報告は、前記第1のエアインターフェースおよび前記第2のエアインターフェースに関する情報を備える、送信すること、および
前記送信された第1の測定報告に少なくとも部分的に基づいて、前記第2の基地局への、コアネットワークへの第1の接続のエアインターフェース間ハンドオーバを実施することであって、前記第1の接続がサービスのセットに専用であり、前記エアインターフェース間ハンドオーバが、前記第1のエアインターフェースから前記第2のエアインターフェースへのベアラの第1のサブセットのエアインターフェース間ハンドオーバと、前記第1のエアインターフェースによるベアラの第2のサブセットの保持とを含み、前記サービスのセットの第1のサブセットが前記ベアラの第1のサブセットに対応し、前記サービスのセットの第2のサブセットが前記ベアラの第2のサブセットに対応する、実施すること、
を行うために実行可能である、装置。
【請求項２９】
ユーザ機器(UE)におけるワイヤレス通信のためのコードを記憶する非一時的コンピュータ可読記憶媒体であって、前記コードが、
第1の基地局への第1のエアインターフェース上で第1のサービスのための第1の無線構成を受信すること、
第2の基地局への第2のエアインターフェース上で第2のサービスのための第2の無線構成を受信することであって、前記第1の無線構成および前記第2の無線構成が、1つまたは複数のデータ無線ベアラおよび少なくとも1つの測定構成を含み、前記第1の無線構成および前記第2の無線構成が、異なるエアインターフェース技術のためのものである、受信すること、
前記第1の無線構成に基づいて、前記第1のエアインターフェースを介して前記第1の基地局に第1の測定報告を送信することであって、前記第1の測定報告は、前記第1のエアインターフェースおよび前記第2のエアインターフェースに関する情報を備える、送信すること、および
前記送信された第1の測定報告に少なくとも部分的に基づいて、前記第2の基地局への、コアネットワークへの第1の接続のエアインターフェース間ハンドオーバを実施することであって、前記第1の接続がサービスのセットに専用であり、前記エアインターフェース間ハンドオーバが、前記第1のエアインターフェースから前記第2のエアインターフェースへのベアラの第1のサブセットのエアインターフェース間ハンドオーバと、前記第1のエアインターフェースによるベアラの第2のサブセットの保持とを含み、前記サービスのセットの第1のサブセットが前記ベアラの第1のサブセットに対応し、前記サービスのセットの第2のサブセットが前記ベアラの第2のサブセットに対応する、実施すること、
を行うために実行可能な命令を備える、非一時的コンピュータ可読記憶媒体。